(57)【特許請求の範囲】
【請求項１】
車両用シートのシートバックに形成された蓋付きアームレストを収納するアームレスト収納凹部と、
アームレスト収納凹部の底壁面上部に一端が着脱可能に取り付けられ、前記アームレストの後端部に他端が固着されるとともに、裏面側が折り畳み可能な分割配置の上プレート、中プレートおよび下プレートにより裏打ちされたカバー部材と、
前記アームレストのアームレスト収納凹部からの傾倒に連動して前記カバー部材の一部を折り畳みつつこのカバー部材をアームレスト収納凹部前方に押し出し前記アームレストの蓋の過開きを規制するとともに、前記アームレストのアームレスト収納凹部に対する没入に連動して前記カバー部材をアームレスト収納凹部の底壁面に沿って伸長させるカバー部材変位機構部と、
前記カバー部材に引張力を付与する張力付与部材と、
を有しており、
前記カバー部材変位機構部が、
前記シートバックのフレームに取り付けられるブラケットと、
前記ブラケットに回動可能に取り付けられる押圧ブラケットと、
前記押圧ブラケットに取り付けられる当接プレートと、
前記押圧ブラケットを付勢する付勢ばねと、
前記ブラケットのシャフト受筒部と前記押圧ブラケットのシャフト挿入筒部と前記付勢ばねのコイルばね部に挿入されるシャフトと、を備え、
前記アームレストの傾倒に連動して、前記中プレートおよび前記下プレートが前記カバー部材の一部を折り畳みつつ、前記張力付与部材が前記下プレートを前記アームレスト収納凹部後方に引張り、且つ、前記付勢ばねの付勢力により前記当接プレートが前記カバー部材の上プレートの上端部に係合しつつ前記アームレスト収納凹部の前方方向へ回動することを特徴とするアームレスト装置の蓋過開き防止構造。
【請求項２】
車両用シートのシートバックに形成された取手を備えた蓋付きのアームレストを収納するアームレスト収納凹部と、
アームレスト収納凹部の底壁面上部に一端が着脱可能に取り付けられ、前記アームレストの後端部に他端が固着されるとともに、裏面側が折り畳み可能な分割配置の上プレート、中プレートおよび下プレートにより裏打ちされたカバー部材と、
前記アームレストのアームレスト収納凹部からの傾倒に連動して前記カバー部材の一部を折り畳みつつこのカバー部材をアームレスト収納凹部前方に押し出し前記アームレストの蓋の過開きを規制しつつ前記取手をアームレスト収納凹部の浅い位置に露出させるとともに、前記アームレストのアームレスト収納凹部に対する没入に連動して前記カバー部材をアームレスト収納凹部の底壁面に沿って伸長させるカバー部材変位機構部と、
前記カバー部材に引張力を付与する張力付与部材と、
を有しており、
前記カバー部材変位機構部が、
前記シートバックのフレームに取り付けられるブラケットと、
前記ブラケットに回動可能に取り付けられる押圧ブラケットと、
前記押圧ブラケットに取り付けられる当接プレートと、
前記押圧ブラケットを付勢する付勢ばねと、
前記ブラケットのシャフト受筒部と前記押圧ブラケットのシャフト挿入筒部と前記付勢ばねのコイルばね部に挿入されるシャフトと、を備え、
前記アームレストの傾倒に連動して、前記中プレートおよび前記下プレートが前記カバー部材の一部を折り畳みつつ、前記張力付与部材が前記下プレートを前記アームレスト収納凹部後方に引張り、且つ、前記付勢ばねの付勢力により前記当接プレートが前記カバー部材の上プレートの上端部に係合しつつ前記アームレスト収納凹部の前方方向へ回動することを特徴とするアームレスト装置の蓋過開き防止構造。
【発明の詳細な説明】
【０００１】
【発明の属する技術分野】
本発明は、アームレスト装置の蓋過開き防止構造に関する。
【０００２】
【従来の技術】
従来のアームレスト装置においては、図７に示すように、蓋５２を備えたアームレスト５１を、シートバック６１に設けたアームレスト収納凹部６２からシートクッション６０側に傾倒した場合、アームレスト収納凹部６２が大きく開口する。
【０００３】
【発明が解決しようとする課題】
しかし、上述した従来のアームレスト装置の場合、アームレスト５１の蓋５２を開くと、この蓋５２がアームレスト収納凹部６２の底壁面側に開き過ぎて、乗員は身体を大きくねじらないと蓋５２の閉動作等を実行しにくいという事態が生じ、例えば比較的身体の自由が利きにくい高齢者等の乗員にとって極めて操作性が悪いという課題があった。
【０００４】
本発明は、上記事情に鑑みてなされたものであり、アームレストの蓋の過開きを防止し、簡略な操作で蓋の操作を実行することが可能なアームレスト装置の蓋過開き防止構造を提供することを目的とするものである。
【０００５】
【課題を解決するための手段】
請求項１記載の発明に係るアームレスト装置の蓋過開き防止構造は、車両用シートのシートバックに形成された蓋付きアームレストを収納するアームレスト収納凹部と、アームレスト収納凹部の底壁面上部に一端が着脱可能に取り付けられ、前記アームレストの後端部に他端が固着されるとともに、裏面側が折り畳み可能な分割配置の上プレート、中プレートおよび下プレートにより裏打ちされたカバー部材と、前記アームレストのアームレスト収納凹部からの傾倒に連動して前記カバー部材の一部を折り畳みつつこのカバー部材をアームレスト収納凹部前方に押し出し前記アームレストの蓋の過開きを規制するとともに、前記アームレストのアームレスト収納凹部に対する没入に連動して前記カバー部材をアームレスト収納凹部の底壁面に沿って伸長させるカバー部材変位機構部と、前記カバー部材に引張力を付与する張力付与部材と、を有しており、前記カバー部材変位機構部が、前記シートバックのフレームに取り付けられるブラケットと、前記ブラケットに回動可能に取り付けられる押圧ブラケットと、前記押圧ブラケットに取り付けられる当接プレートと、前記押圧ブラケットを付勢する付勢ばねと、前記ブラケットのシャフト受筒部と前記押圧ブラケットのシャフト挿入筒部と前記付勢ばねのコイルばね部に挿入されるシャフトと、を備え、前記アームレストの傾倒に連動して、前記中プレートおよび前記下プレートが前記カバー部材の一部を折り畳みつつ、前記張力付与部材が前記下プレートを前記アームレスト収納凹部後方に引張り、且つ、前記付勢ばねの付勢力により前記当接プレートが前記カバー部材の上プレートの上端部に係合しつつ前記アームレスト収納凹部の前方方向へ回動することを特徴とするものである。
【０００６】
請求項２記載の発明に係るアームレスト装置の蓋過開き防止構造は、車両用シートのシートバックに形成された取手を備えた蓋付きのアームレストを収納するアームレスト収納凹部と、アームレスト収納凹部の底壁面上部に一端が着脱可能に取り付けられ、前記アームレストの後端部に他端が固着されるとともに、裏面側が折り畳み可能な分割配置の上プレート、中プレートおよび下プレートにより裏打ちされたカバー部材と、前記アームレストのアームレスト収納凹部からの傾倒に連動して前記カバー部材の一部を折り畳みつつこのカバー部材をアームレスト収納凹部前方に押し出し前記アームレストの蓋の過開きを規制しつつ前記取手をアームレスト収納凹部の浅い位置に露出させるとともに、前記アームレストのアームレスト収納凹部に対する没入に連動して前記カバー部材をアームレスト収納凹部の底壁面に沿って伸長させるカバー部材変位機構部と、前記カバー部材に引張力を付与する張力付与部材と、を有しており、前記カバー部材変位機構部が、前記シートバックのフレームに取り付けられるブラケットと、前記ブラケットに回動可能に取り付けられる押圧ブラケットと、前記押圧ブラケットに取り付けられる当接プレートと、前記押圧ブラケットを付勢する付勢ばねと、前記ブラケットのシャフト受筒部と前記押圧ブラケットのシャフト挿入筒部と前記付勢ばねのコイルばね部に挿入されるシャフトと、を備え、前記アームレストの傾倒に連動して、前記中プレートおよび前記下プレートが前記カバー部材の一部を折り畳みつつ、前記張力付与部材が前記下プレートを前記アームレスト収納凹部後方に引張り、且つ、前記付勢ばねの付勢力により前記当接プレートが前記カバー部材の上プレートの上端部に係合しつつ前記アームレスト収納凹部の前方方向へ回動することを特徴とするものである。
【０００７】
請求項１記載の発明に係るアームレスト装置の蓋過開き防止構造によれば、カバー部材変位機構部が、前記アームレストのアームレスト収納凹部からの傾倒に連動して中プレートおよび下プレートが前記カバー部材の一部を折り畳みつつ前記上プレートの上端部に前記当接プレートを係合させてカバー部材をアームレスト収納凹部前方に押し出し前記アームレストの蓋の過開きを規制する。また、前記張力付与部材は、前記カバー部材に引張力を付与し、このカバー部材を緊張してある程度の剛性を維持する。
【０００８】
これにより、前記アームレストの蓋を開いた場合において、その過開きが防止され、極めて簡略な操作で蓋の閉操作等を実行することができ、極めて操作性が良好になるとともに、アームレスト収納凹部の底壁面がカバー部材により覆われて見栄えも良好となる。
【０００９】
請求項２記載の発明に係るアームレスト装置の蓋過開き防止構造によれば、請求項１記載の発明に係るアームレスト装置の蓋過開き防止構造と同様な作用を発揮するとともに、前記蓋の取手がアームレスト収納凹部の浅い位置に露出するので、比較的身体の自由が利きにくい高齢者等の乗員にとっても極めて簡略な操作で蓋の閉操作等を実行することができ、操作性が極めて良好になる。
【００１０】
【発明の実施の形態】
以下、本発明の実施の形態を詳細に説明する。図１乃至図４は、本発明の実施の形態のアームレスト装置の蓋過開き防止構造を示すものである。このアームレスト装置の蓋過開き防止構造は、シートクッション２及びシートバック３からなる車両用シート１における前記シートバック３に形成された略直方体状を呈するアームレスト収納凹部４を備え、このアームレスト収納凹部４に取手６を備えた蓋５付きのアームレスト７を収納するようになっている。
【００１１】
また、このアームレスト装置の蓋過開き防止構造は、アームレスト収納凹部４の底壁面４ａの上部に一端が着脱可能に取り付けられ、前記アームレスト７の後端部に他端が固着されるとともに、裏面側が折り畳み可能な３個の分割配置で上下方向の寸法を異ならせたプレート８ａ、８ｂ、８ｃにより裏打ちされたカバー部材（表皮）９と、前記アームレスト７のアームレスト収納凹部４からの傾倒に連動して前記カバー部材９の一部を折り畳みつつこのカバー部材９をアームレスト収納凹部４の前方に押し出し、前記アームレスト７の蓋５の過開きを規制しつつ、前記取手６をアームレスト収納凹部４の浅い位置に露出させるとともに、前記アームレスト７のアームレスト収納凹部４に対する没入に連動して、前記カバー部材９をアームレスト収納凹部４の底壁面４ａに沿って伸長させるカバー部材変位機構部１０と、前記カバー部材９に引張力を付与する張力付与部材１１とを有している。
【００１２】
前記カバー部材９の一端側は、図３に拡大して示すように、木製のハードボード９ａの一部を包み込むように折曲され、かつ、このハードボード９ａに取り付けた樹脂クリップ９ｂを、前記アームレスト収納凹部４の底壁面４ａの上部に配置した鉄板製のヒンジ２１に設けた穴２２に装着することで、このカバー部材９の一端側を前記アームレスト収納凹部４の底壁面４ａの上部に着脱可能に取り付けるようになっている。
【００１３】
また、前記カバー部材９は、前記アームレスト７の蓋５に沿って延在され、その他端側は前記アームレスト７の蓋５の後端部５ａに接着又はクリップ止め等で固着されている。
【００１４】
前記カバー部材９の裏面側に配置されたプレート８ａ、８ｂ、８ｃのうち、一番上側のプレート８ａは上下方向の寸法が一番大きく、プレート８ａとプレート８ｃとの間のプレート８ｂはその上下方向の寸法が一番小さく、最も下側のプレート８ｃは上下方向の寸法がプレート８ｂより若干大きめに設定されている。
【００１５】
ここで、前記カバー部材変位機構部１０について、図３、図４をも参照して詳述する。このカバー部材変位機構部１０は、シートバックフレーム１２のロー側に所定間隔で設けた３個の孔１２ａ、１２ｂ、１２ｃに対して、３個の透孔１３ａ、１３ｂ、１３ｃを位置合わせし、３個のリベット３０を用いて取り付けられる鉄板製のブラケット１４を具備している。このブラケット１４の上縁側には、前記穴２２を有する一対のヒンジ２１をシートバックフレーム１２と反対側に向けて突出させている。尚、シートバックフレーム１２とブラケット１４との間には、図３に示すように、シートバックフレーム１２を覆う表皮２９が介在されるようになっている。
【００１６】
また、前記ブラケット１４の下縁側には、後述するシャフト１５が挿通可能な一対のシャフト受筒部１６ａ、１６ｂを下方に向けて突出している。さらに、前記ブラケット１４の両端部近傍位置には、一対のワイヤ受部１７ａ、１７ｂが設けられ、この一対のワイヤ受部１７ａ、１７ｂにより略Ｕ状に形成された引掛用ワイヤ１８の両端部を支持するようになっている。
【００１７】
前記ブラケット１４のシャフト受筒部１６ａ、１６ｂに対しては、合計３個のシャフト挿入筒部１９ａ、１９ｂ、１９ｃを有する押圧ブラケット２０がシャフト１５及び付勢ばね（トーションスプリング）２３を介して取り付けられるようになっている。
【００１８】
即ち、付勢ばね２３には、中間片２３ａを挟んで対称配置のコイルばね部２４ａ、２４ｂ、係合端子部２５ａ、２５ｂが形成され、係合端子部２５ａ、２５ｂを各々前記ブラケット１４に設けたばね受１４ａ、１４ｂに係合するとともに、前記シャフト１５をシャフト挿入筒部１９ｃ、シャフト受筒部１６ｂ、コイルばね部２４ｂ、シャフト挿入筒部１９ｂ、コイルばね部２４ａ、シャフト受筒部１６ａ、シャフト挿入筒部１９ａの順で挿通することで、押圧ブラケット２０を前記ブラケット１４に回動可能に取り付けるとともに、前記中間片２３ａをシャフト挿入筒部１９ｂの下側に当接することで、前記押圧ブラケット２０を付勢ばね２３の付勢力により、図３に示す矢印ａ方向に付勢するようになっている。
【００１９】
さらに、前記押圧ブラケット２０に対して、当接プレート２６を取り付けている。即ち、前記押圧ブラケット２０に設けた３個のねじ孔２０ａ、２０ｂ、２０ｃに対して、当接プレート２６に設けた３個の透孔２６ａ、２６ｂ、２６ｃを位置合わせし、図示しない３個のねじを用いて当接プレート２６を押圧ブラケット２０に一体的に取り付けている。
【００２０】
前記当接プレート２６の突出端側には、その幅方向に沿って前記カバー部材９の裏面に裏打ちした一番上側のプレート８ａの上端縁に係合する係合段部２７を設けている。
【００２１】
前記張力付与部材１１は、シートバックアッパフレーム３１の外側に沿って配置されたゴムバンド３２ａを具備し、このゴムバンド３２ａの下端部を前記カバー部材９の裏面に裏打ちした一番下側のプレート８ｃに取り付けるとともに、ゴムバンド３２ａの上端部に取り付けたフック３３を、前記引掛用ワイヤ１８の水平部に引っ掛けて、これにより、前記ゴムバンド３２ａの付勢力により、前記カバー部材９を図２に示す矢印ｂ方向に付勢し、前記カバー部材９に張力を付与し、その剛性をある程度の値に保つようになっている。さらに、カバー部材９の維持剛性用としてゴムバンド３２ｂをハードボード８ａとハードボード８ｃに固定し、引張力を付与するようになっている。
【００２２】
次に、上述した構造のアームレスト装置の蓋過開き防止構造の作用を図５、図６をも参照して説明する。
【００２３】
この蓋過開き防止構造において、前記アームレスト７をアームレスト収納凹部４に収納した状態では、図１、図５に示すように、前記カバー部材９はアームレスト７の蓋５の上面に沿って沿設された状態であり、前記プレート８ａ乃至８ｃも略一直線状に配置された状態となっている。
【００２４】
この状態で、前記アームレスト７を蓋５とともに図１に示す矢印α方向に傾倒すると、アームレスト７及び蓋５は支軸７ａを支点として回動し、図２に示す状態になる。
【００２５】
このとき、前記カバー部材変位機構部１０の当接プレート２６が、前記付勢ばね２３の矢印ａ方向（図３）への付勢力により矢印ａ方向へ回動し、その係合段部２７を前記プレート８ａの上端部に係合させつつ前記カバー部材９をアームレスト収納凹部４の前方へ押し出す。また、前記プレート８ｂ、８ｃは、図２及び図６に示すように、前記カバー部材９の一部を挟むようにして折り畳まれる。
【００２６】
また、前記張力付与部材１１のゴムバンド３２ａは、前記プレート８ｃを介して前記カバー部材９に図２に示す矢印ｂ方向の引張力を付与し、このカバー部材９を緊張してある程度の剛性を維持するように機能する。
【００２７】
この結果、前記カバー部材９は、図２及び図６に示すようにアームレスト収納凹部４の乗員側から見て浅い位置を占める状態を呈するようになり、アームレスト収納凹部４の底壁面がカバー部材９により遮蔽された状態となって、乗員側から見た見栄えが向上する。
【００２８】
次に、傾倒状態のアームレスト７の蓋５を、蓋支持軸５ｂを支点として図２に示す矢印β方向に回動して開蓋状態としたとき、この蓋５の上面側は図２に示すように、アームレスト収納凹部４の乗員側から見て浅い位置を占める前記アームレスト７のカバー部材９に当接して、開蓋位置が過開きにならない位置に規制される。
【００２９】
これにより、前記蓋５が過開きとなってアームレスト収納凹部４の深い位置まで没入することが防止されて、前記蓋５の閉操作等を簡略に行うことが可能となる。
【００３０】
また、図２に示す開蓋位置の蓋５においては、前記取手６がアームレスト収納凹部４の浅い位置に露出するので、比較的身体の自由が利きにくい高齢者等の乗員にとっても極めて簡略な操作で蓋５の閉操作等を実行することができ、極めて操作性が良好になる。
【００３１】
【発明の効果】
請求項１記載の発明によれば、アームレストの蓋を開いた際に、その過開きが防止され、極めて簡略な操作で蓋の閉操作等を実行することができ、操作性に優れるとともに、見栄えも良好なアームレスト装置の蓋過開き防止構造を提供できる。
【００３２】
請求項２記載の発明によれば、請求項１記載の発明と同様な効果を奏するとともに、蓋に取手を備えているので、比較的身体の自由が利きにくい高齢者等の乗員にとっても極めて簡略な操作で蓋の閉操作等を実行することが可能なアームレスト装置の蓋過開き防止構造を提供できる。
【図面の簡単な説明】
【図１】本発明のアームレスト装置の蓋過開き防止構造の実施の形態を示す概略断面図である。
【図２】本実施の形態の蓋過開き防止構造のアームレストを傾倒した状態を示す概略断面図である
【図３】本実施の形態のカバー部材変位機構部の部分拡大断面図である。
【図４】本実施の形態のカバー部材変位機構部の分解斜視図である。
【図５】本実施の形態の蓋過開き防止構造のアームレスト収納時のカバー部材を示す斜視図である。
【図６】本実施の形態の蓋過開き防止構造のアームレスト傾倒時のカバー部材を示す斜視図である。
【図７】従来のアームレスト装置を示す概略側面図である。
【符号の説明】
１      車両用シート
２      シートクッション
３      シートバック
４      アームレスト収納凹部
５      蓋
６      取手
７      アームレスト
８ａ，８ｂ，８ｃ    プレート
９      カバー部材
９ｂ    樹脂クリップ
１０    カバー部材変位機構部
１１    張力付与部材
１２    シートバックフレーム
１４    ブラケット
１５    シャフト
１８    引掛用ワイヤ
２０    押圧ブラケット
２１    ヒンジ
２３    付勢ばね
２６    当接プレート
２７    係合段部
２９    表皮
３２ａ，３２ｂ        ゴムバンド
３３    フック
【図１】
0003559880.tif 000002
【図２】
0003559880.tif 000003
【図３】
0003559880.tif 000004
【図４】
0003559880.tif 000005
【図５】
0003559880.tif 000006
【図６】
0003559880.tif 000007
【図７】
0003559880.tif 000008